(57)【特許請求の範囲】
【請求項１】
底壁及び側壁を有するとともに、金属から形成される第１の外装部材であって、前記底壁及び前記側壁によって収納空間が規定され、前記収納空間は前記底壁とは反対側に開口を有し、前記開口の開口縁から前記側壁に対して外周側に突出するフランジを備える第１の外装部材と、
正極及び負極を備え、前記収納空間に収納される電極群と、
金属から形成されるとともに、前記フランジに対向して配置される第２の外装部材であって、前記収納空間の前記開口を塞ぐ第２の外装部材と、
前記開口縁から前記外周側への突出部分において前記フランジ及び前記第２の外装部材を前記開口の全周に渡って溶接することにより、前記収納空間を封止する溶接部と、
前記第１の外装部材の前記側壁に設けられ、前記収納空間の内圧が所定の値以上になることにより開放される開放弁と、
前記開口縁から前記外周側への前記突出部分において前記フランジ及び前記第２の外装部材が一緒に折曲がるとともに、前記開口の周方向について少なくとも前記開放弁が位置する範囲に渡って設けられる折曲がり部であって、前記折曲がり部から前記フランジ及び前記第２の外装部材のそれぞれの外縁までの延設部分を、前記開放弁に対して前記外周側に位置させる折曲がり部と、
を具備する、二次電池。
【請求項２】
前記フランジ及び前記第２の外装部材のそれぞれは、前記開口縁から前記外周側に向かって前記折曲がり部まで延設され、
前記フランジ及び前記第２の外装部材のそれぞれの延設方向が、前記折曲がり部で変化する、
請求項１の二次電池。
【請求項３】
前記フランジ及び前記第２の外装部材のそれぞれは、前記折曲がり部から前記外縁まで、前記開口の開口面に対して交差する方向に沿って延設される、請求項２の二次電池。
【請求項４】
前記フランジ及び前記第２の外装部材のそれぞれは、前記折曲がり部から前記外縁まで、前記第１の外装部材の前記底壁が位置する側へ向かって延設される、請求項３の二次電池。
【請求項５】
前記折曲がり部は、前記開口縁に沿って延設される、請求項１乃至４のいずれか１項の二次電池。
【請求項６】
前記開口の前記周方向について前記開放弁が位置する前記範囲では、前記フランジ及び前記第２の外装部材のそれぞれの前記外縁は、前記底壁が位置する側とは反対側に凹み、
前記開口の前記周方向について前記開放弁が位置する前記範囲では、前記フランジ及び前記第２の外装部材のそれぞれの前記外縁は、前記開放弁に対して、前記底壁が位置する側とは反対側に位置する、  
請求項１乃至５のいずれか１項の二次電池。
【請求項７】
前記開放弁は、前記側壁の肉厚が他の部分に比べて薄い薄肉部を備える、請求項１乃至６のいずれか１項の二次電池。
【請求項８】
前記薄肉部では、前記側壁の内表面が前記外周側へ凹む、又は、前記側壁の外表面が内周側へ凹む、請求項７の二次電池。
【請求項９】
前記第１の外装部材の前記側壁は、
互いに対して対向し、縦方向に沿ってそれぞれが延設される一対の第１の側壁と、
互いに対して対向し、前記縦方向に対して交差する横方向に沿ってそれぞれが延設される一対の第２の側壁と、
を備え、
前記二次電池は、前記第１の外装部材において前記一対の第１の側壁の対応する一方の外表面にそれぞれが取付けられる一対の端子をさらに備える、
請求項１乃至７のいずれか１項の二次電池。
【請求項１０】
前記開放弁は、前記一対の第２の側壁の少なくとも一方に設けられ、
前記一対の端子の少なくとも一方には、前記二次電池を他の二次電池に電気的に接続する接続部材が接続される、
請求項９の二次電池。
【請求項１１】
前記開放弁は、前記一対の第１の側壁の少なくとも一方に設けられ、
前記電極群では、前記正極及び前記負極が捲回軸を中心として捲回され、
前記電極群は、前記捲回軸が前記一対の第２の側壁に沿う状態で前記収納空間に配置され、
前記正極は、前記捲回軸に沿う方向の一方側へ前記負極に対して突出する正極集電タブを備え、
前記負極は、前記捲回軸に沿う方向について前記正極集電タブが突出する側とは反対側へ前記正極に対して突出する負極集電タブを備え、
前記収納空間では、前記正極集電タブが前記横方向について一方側の端部に配置されるとともに、前記負極集電タブが前記横方向について前記正極集電タブが位置する側とは反対側の端部に配置される、
請求項９の二次電池。
【請求項１２】
前記請求項１乃至請求項８のいずれか１項の二次電池を複数具備し、
複数の前記二次電池は、互いに対して隣り合って積層される第１の二次電池及び第２の二次電池を備え、
前記第１の二次電池及び前記第２の二次電池のそれぞれは、厚さ方向が積層方向と一致する状態で、積層される、
電池パック。
【請求項１３】
前記第１の二次電池及び前記第２の二次電池のそれぞれでは、前記第１の外装部材の前記側壁は、
互いに対して対向し、前記積層方向に対して交差する第１の交差方向に沿ってそれぞれが延設される一対の第１の側壁と、
互いに対して対向し、前記積層方向及び前記第１の交差方向の両方に対して交差する第２の交差方向に沿ってそれぞれが延設される一対の第２の側壁と、
を備え、
前記第１の二次電池及び前記第２の二次電池のそれぞれは、前記第１の外装部材において前記一対の第１の側壁の対応する一方の外表面にそれぞれが取付けられる一対の端子をさらに備える、
請求項１２の電池パック。
【請求項１４】
前記第１の二次電池及び前記第２の二次電池を電気的に接続する接続部材をさらに具備し、
前記接続部材は、前記第１の二次電池の前記一対の端子の一方である第１の対象端子に接続されるとともに、前記第２の二次電池の前記一対の端子の中で、前記第２の交差方向について前記収納空間に対して前記第１の対象端子と同一の側に位置する一方である第２の対象端子に接続され、
前記第１の二次電池及び前記第２の二次電池のそれぞれでは、前記開放弁は、前記一対の第２の側壁の少なくとも一方に設けられる、
請求項１３の電池パック。
【発明の詳細な説明】
【技術分野】
【０００１】
本発明の実施形態は、二次電池及び電池パックに関する。
【背景技術】
【０００２】
一般的に、二次電池は、正極及び負極を備える電極群と、電極群を収納する外装部と、を備える。そして、二次電池には、外装部が２つの外装部材から形成され、２つの外装部材のそれぞれがステンレス鋼等の金属から形成されるものがある。この二次電池では、外装部材の一方である第１の外装部材は、底壁及び側壁を備える底付きの筒状に形成され、底壁及び側壁によって、電極群を収納する収納空間が規定される。そして、収納空間は、底壁とは反対側に開口を有する。また、第１の外装部材では、底壁とは反対側の部位にフランジが形成され、フランジによって、収納空間の開口の開口縁が規定される。この二次電池では、第２の外装部材は、フランジに対向して配置され、収納空間の開口を塞ぐ。また、フランジ及び第２の外装部材は、開口縁から側壁に対して外周側へ突出する。フランジ及び第２の外装部材の外周側への突出部分には、フランジ及び第２の外装部材が気密に溶接される溶接部が、形成される。溶接部は、開口の全周に渡って連続して形成される。溶接部によって、収納空間が外部に対して密閉される。【０００３】
また、二次電池には、外装部に開放弁が設けられるものがある。このような二次電池では、電極群を収納する収納空間の内圧、すなわち、外装部の内部の内圧が所定の値以上になることにより、開放弁が開放される。開放弁が開放されることにより、外装部の内部の収納空間から外装部の外部に、開放弁を介して気体が排出される。【０００４】
前述のように開放弁が設けられる二次電池では、開放弁に、外装部の他の部位に比べて肉厚が薄い薄肉部が形成される。薄肉部が形成されるため、開放弁は、外部からの衝撃に対する耐性が低い。したがって、収納空間の内圧が所定の値より小さい状態でも、物理的な接触による衝撃等の外部からの衝撃によって、開放弁が破損する可能性がある。このため、外部からの衝撃等に対して開放弁が適切に保護されることが、求められる。
【先行技術文献】
【特許文献】
【０００５】
【特許文献１】国際公開第２０１６/２０４１４７号公報
【特許文献２】特開２００１−２６６８０４号公報
【特許文献３】特開２００１−３４５０８３号公報
【発明の概要】
【発明が解決しようとする課題】
【０００６】
本発明が解決しようとする課題は、外装部に設けられる開放弁が適切に保護される二次電池、及び、その二次電池を備える電池パックを提供することにある。
【課題を解決するための手段】
【０００７】
実施形態によれば、二次電池は、第１の外装部材と、第２の外装部材と、電極群と、開放弁と、を備える。第１の外装部材は、底壁及び側壁を有するとともに、金属から形成される。第１の外装部材では、底壁及び側壁によって収納空間が規定され、収納空間は、底壁とは反対側に開口を有する。第１の外装部材は、開口の開口縁から側壁に対して外周側へ突出するフランジを備える。電極群は、正極及び負極を備え、収納空間に収納される。第２の外装部材は、金属から形成されるとともに、フランジに対向して配置され、収納空間の開口を塞ぐ。溶接部は、開口縁から外周側への突出部分において、開口の全周に渡ってフランジ及び第２の外装部材を溶接し、収納空間を封止する。開放弁は、第１の外装部材の側壁に設けられ、収納空間の内圧が所定の値以上になることにより、開放される。開口縁から外周側への突出部分に設けられる折曲がり部において、フランジ及び第２の外装部材が一緒に折曲がる。折曲がり部は、開口の周方向について少なくとも開放弁が位置する範囲 に渡って、設けられる。折曲がり部によって、折曲がり部からフランジ及び第２の外装部材のそれぞれの外縁までの延設部分は、開放弁に対して外周側に位置する。
【図面の簡単な説明】
【０００８】
【図１】図１は、第１の実施形態に係る二次電池を概略的に示す斜視図である。
【図２】図２は、第１の実施形態に係る第１の外装部材、第２の外装部材及び電極群を互いに対して分解した状態で概略的に示す斜視図である。
【図３】図３は、第１の実施形態に係る二次電池を、厚さ方向について底壁が位置する側から視た状態で示す概略図である。
【図４】図４は、第１の実施形態に係る二次電池を、縦方向の一方側から視た状態で示す概略図である。
【図５】図５は、第１の実施形態に係る二次電池を、横方向の一方側から視た状態で示す概略図である。
【図６】図６は、第１の実施形態に係る電極群の構成を説明する概略図である。
【図７】図７は、第１の実施形態において、電極群と一対の端子の一方との間の電気的な接続構成を示す概略図である。
【図８】図８は、第１の実施形態に係る二次電池において、横方向に沿う一対の側壁の一方、及び、その側壁から外周側への突出部分の構成を、横方向に垂直又は略垂直で、かつ、開放弁を通る断面で概略的に示す断面図である。
【図９】図９は、第１の実施形態に係る二次電池の側壁の内表面において、開放弁及びその近傍の構成を示す概略図である。
【図１０】図１０は、第１の実施形態に係る二次電池の製造において、溶接部を形成した状態を示す概略図である。
【図１１】図１１は、図１０の状態から、溶接部に対して外周側の位置でフランジ及び第２の外装部材をカットし、カットされた位置より外周側をトリミングした状態を示す概略図である。
【図１２】図１２は、図１１の状態から折曲がり部を形成する際における、折曲げ線を示す概略図である。
【図１３】図１３は、第１の変形例に係る二次電池を、厚さ方向について底壁が位置する側から視た状態で示す概略図である。
【図１４】図１４は、第１の変形例に係る二次電池を、縦方向の一方側から視た状態で示す概略図である。
【図１５】図１５は、第１の変形例に係る二次電池を、横方向の一方側から視た状態で示す概略図である。
【図１６】図１６は、第２の変形例に係る二次電池を概略的に示す斜視図である。
【図１７】図１７は、第２の変形例に係る二次電池を、縦方向の一方側から視た状態で示す概略図である。
【図１８】図１８は、第２の変形例に係る二次電池において、横方向に沿う一対の側壁の一方、及び、その側壁から外周側への突出部分の構成を、横方向に垂直又は略垂直で、かつ、開放弁を通る断面で概略的に示す断面図である。
【図１９】図１９は、第３の変形例に係る二次電池において、横方向に沿う一対の側壁の一方、及び、その側壁から外周側への突出部分の構成を、横方向に垂直又は略垂直で、かつ、開放弁を通る断面で概略的に示す断面図である。
【図２０】図２０は、第３の変形例に係る二次電池の側壁の外表面において、開放弁及びその近傍の構成を示す概略図である。
【図２１】図２１は、第４の変形例に係る二次電池を概略的に示す斜視図である。
【図２２】図２２は、第４の変形例に係る二次電池を複数備える電池パックの一部を概略的に示す斜視図である。
【図２３】図２３は、第５の変形例に係る二次電池を概略的に示す斜視図である。
【発明を実施するための形態】
【０００９】
以下、実施形態について図１乃至図２３を参照して説明する。
【００１０】
（第１の実施形態）  
図１は、第１の実施形態に係る二次電池１を示し、図２は、二次電池１を部材ごとに分解した状態で示す。二次電池１は、例えば、非水電解質電池である。図１及び図２に示すように、二次電池１は、外装部３を備える。外装部３は、第１の外装部材５及び第２の外装部材６から形成される。外装部材５，６のそれぞれは、ステンレス鋼等の金属から形成される。外装部材５，６を形成するステンレス鋼以外の金属としては、アルミニウム、アルミニウム合金、鉄、及び、メッキ鋼等が挙げられる。第１の外装部材５は、底付きの筒状に形成される。本実施形態では、第１の外装部材５は、底壁７及び二対の側壁８Ａ，８Ｂ，９Ａ，９Ｂを有し、底付きの略長方形筒状に形成される。第１の外装部材５では、底壁７及び側壁８Ａ，８Ｂ，９Ａ，９Ｂによって、収納空間１１が規定される。収納空間１１には、電極群１０が収納される。
【００１１】
収納空間１１は、底壁７とは反対側に開口１２を有する。ここで、二次電池１において、縦方向（矢印Ｘ１及び矢印Ｘ２で示す方向）、縦方向に対して交差する横方向（矢印Ｙ１及び矢印Ｙ２で示す方向）、及び、縦方向及び横方向の両方に対して交差する厚さ方向（矢印Ｚ１及び矢印Ｚ２で示す方向）を規定する。本実施形態の二次電池１では、横方向は、縦方向に対して垂直又は略垂直であり、厚さ方向は、縦方向及び横方向の両方に対して垂直又は略垂直である。二次電池１では、一対の側壁（第１の側壁）８Ａ，８Ｂのそれぞれは、縦方向に沿って延設され、一対の側壁（第２の側壁）９Ａ，９Ｂのそれぞれは、横方向に沿って延設される。側壁８Ａ，８Ｂは、互いに対して対向し、収納空間１１を挟んで互いに対して横方向に離れて配置される。また、側壁９Ａ，９Ｂは、互いに対して対向し、収納空間１１を挟んで互いに対して縦方向に離れて配置される。また、側壁８Ａ，８Ｂ，９Ａ，９Ｂのそれぞれは、底壁７から開口１２に向かって厚さ方向に沿って延設され、収納空間１１は、開口１２において厚さ方向の一方側（矢印Ｚ２側）に向かって開口する。そして、開口１２の開口面は、二次電池１の縦方向及び横方向に平行又は略平行な面になる。
【００１２】
図３は、二次電池１を、厚さ方向について底壁７が位置する側（矢印Ｚ１側）から視た状態で示す。また、図４は、二次電池１を、縦方向の一方側（矢印Ｘ２側）から視た状態で示し、図５は、二次電池１を、横方向の一方側（矢印Ｙ１側）から視た状態で示す。図１乃至図５に示すように、第１の外装部材５では、底壁７とは反対側の部位に、フランジ１３が設けられる。フランジ１３は、開口１２の周方向について全周に渡って、開口１２の開口縁１５を規定する。また、フランジ１３は、開口１２の周方向について全周に渡って、開口縁１５から外周側に突出する。このため、フランジ１３は、開口１２の開口面に平行な方向について開口１２から離れる側に、側壁８Ａ，８Ｂ，９Ａ，９Ｂに対して、突出する。
【００１３】
本実施形態では、開口縁１５は、縦方向に沿う一対の第１の開口縁１６Ａ，１６Ｂ、及び、横方向に沿う一対の第２の開口縁１７Ａ，１７Ｂを有する。そして、開口１２は、長方形状又は略長方形状に形成される。なお、開口１２の形状は、長方形状に限るものではなく、開口１２は、例えば、長方形状以外の多角形状又は楕円形状等に形成されてもよい。
【００１４】
フランジ１３は、外縁（フランジ外縁）５１を有する。外縁５１は、開口１２の周方向について全周に渡って、連続する。外縁５１は、縦方向に沿う一対の第１のフランジ外縁５２Ａ，５２Ｂ、及び、横方向に沿う一対の第２のフランジ外縁５３Ａ，５３Ｂを有する。第１のフランジ外縁５２Ａは、第１の開口縁１６Ａ及び側壁８Ａから外周側への突出部分において、フランジ１３の外縁を形成し、第１のフランジ外縁５２Ｂは、第１の開口縁１６Ｂ及び側壁８Ｂから外周側への突出部分において、フランジ１３の外縁を形成する。第２のフランジ外縁５３Ａは、第２の開口縁１７Ｂ及び側壁９Ｂから外周側への突出部分において、フランジ１３の外縁を形成し、第２のフランジ外縁５３Ｂは、第２の開口縁１７Ｂ及び側壁９Ｂから外周側への突出部分において、フランジ１３の外縁を形成する。
【００１５】
また、フランジ１３の外縁５１は、中継外縁（フランジ中継外縁）５５Ａ〜５５Ｄを有する。中継外縁５５Ａは、第１のフランジ外縁５２Ａから第２のフランジ外縁５３Ａまで連続して延設され、中継外縁５５Ｂは、第１のフランジ外縁５２Ａから第２のフランジ外縁５３Ｂまで連続して延設される。また、中継外縁５５Ｃは、第１のフランジ外縁５２Ｂから第２のフランジ外縁５３Ａまで連続して延設され、中継外縁５５Ｄは、第１のフランジ外縁５２Ｂから第２のフランジ外縁５３Ｂまで連続して延設される。すなわち、中継外縁５５Ａ〜５５Ｄのそれぞれは、一対の第１のフランジ外縁５２Ａ，５２Ｂの対応する一方から一対の第２のフランジ外縁５３Ａ，５３Ｂの対応する一方まで連続して延設される。また、中継外縁５５Ａ〜５５Ｄのそれぞれは、一対の第１のフランジ外縁５２Ａ，５２Ｂの対応する一方との交差位置に、鈍角の角を形成する。そして、中継外縁５５Ａ〜５５Ｄのそれぞれは、一対の第２のフランジ外縁５３Ａ，５３Ｂの対応する一方との交差位置に、鈍角の角を形成する。
【００１６】
本実施形態では、第２の外装部材６は、板状の部材であり、例えば、略長方形状に形成される。第２の外装部材６は、フランジ１３に対向して配置され、開口１２が開口する側からフランジ１３に取付けられる。本実施形態では、第２の外装部材６は、開口１２の周方向の全周に渡って、開口縁１５から外周側に突出する。したがって、第２の外装部材６は、開口１２の開口面に平行な方向について開口１２から離れる側に、側壁８Ａ，８Ｂ，９Ａ，９Ｂに対して、突出する。開口縁１５より外周側の領域では、開口１２の周方向の全周に渡って、第２の外装部材６がフランジ１３と対向する。また、第２の外装部材６は、収納空間１１の開口１２を塞ぐ。第２の外装部材６が開口１２を塞ぐ部分では、板状の第２の外装部材６の厚さ方向が、二次電池１の厚さ方向と一致又は略一致する。
【００１７】
板状の第２の外装部材６は、外縁（部材外縁）６１を有する。本実施形態では、第２の外装部材６の外縁６１は、フランジ１３の外縁５１とともに、二次電池１の外縁を形成する。外縁６１は、開口１２の周方向について全周に渡って、連続する。外縁６１は、縦方向に沿う一対の第１の部材外縁６２Ａ，６２Ｂ、及び、横方向に沿う一対の第２の部材外縁６３Ａ，６３Ｂを有する。第１の部材外縁６２Ａは、第１の開口縁１６Ａ及び側壁８Ａから外周側への突出部分において、第２の外装部材６の外縁を形成し、第１の部材外縁６２Ｂは、第１の開口縁１６Ｂ及び側壁８Ｂから外周側への突出部分において、第２の外装部材６の外縁を形成する。第２の部材外縁６３Ａは、第２の開口縁１７Ａ及び側壁９Ａから外周側への突出部分において、第２の外装部材６の外縁を形成し、第２の部材外縁６３Ｂは、第２の開口縁１７Ｂ及び側壁９Ｂから外周側への突出部分において、第２の外装部材６の外縁を形成する。
【００１８】
また、第２の外装部材６の外縁６１は、４つの中継外縁（部材中継外縁）６５Ａ〜６５Ｄを有する。中継外縁６５Ａは、第１の部材外縁６２Ａから第２の部材外縁６３Ａまで連続して延設され、中継外縁６５Ｂは、第１の部材外縁６２Ａから第２の部材外縁６３Ｂまで連続して延設される。また、中継外縁６５Ｃは、第１の部材外縁６２Ｂから第２の部材外縁６３Ａまで連続して延設され、中継外縁６５Ｄは、第１の部材外縁６２Ｂから第２の部材外縁６３Ｂまで連続して延設される。すなわち、中継外縁６５Ａ〜６５Ｄのそれぞれは、一対の第１の部材外縁６２Ａ，６２Ｂの対応する一方から一対の第２の部材外縁６３Ａ，６３Ｂの対応する一方まで連続して延設される。また、中継外縁６５Ａ〜６５Ｄのそれぞれは、一対の第１の部材外縁６２Ａ，６２Ｂの対応する一方との交差位置に、鈍角の角を形成する。そして、中継外縁６５Ａ〜６５Ｄのそれぞれは、一対の第２の部材外縁６３Ａ，６３Ｂの対応する一方との交差位置に、鈍角の角を形成する。
【００１９】
第１の外装部材５では、底壁７から開口１２までの距離が、側壁８Ａ，８Ｂの間の距離、及び、側壁９Ａ，９Ｂの間の距離のそれぞれに比べて、遥かに小さい。そして、二次電池１では、厚さ方向についての寸法が、縦方向についての寸法、及び、横方向についての寸法のそれぞれに比べて、遥かに小さい。また、本実施形態では、側壁（第１の側壁）８Ａ，８Ｂの間の距離が、側壁（第２の側壁）９Ａ，９Ｂの間の距離に比べて大きく、二次電池１では、縦方向についての寸法が、横方向についての寸法に比べて、小さい。ここで、側壁８Ａ，８Ｂの間の距離、すなわち、第１の開口縁１６Ａ，１６Ｂの間の距離は、二次電池１の横方向についての収納空間１１（開口１２）の寸法に相当する。そして、側壁９Ａ，９Ｂの間の距離、すなわち、第２の開口縁１７Ａ，１７Ｂの間の距離は、二次電池１の縦方向についての収納空間１１（開口１２）の寸法に相当する。そして、底壁７から開口１２までの距離は、二次電池１の厚さ方向についての収納空間１１の寸法に相当する。ある実施例では、二次電池１の厚さ方向についての収納空間１１の寸法は、８ｍｍ以上２５ｍｍ以下のある寸法になる。また、ある実施例では、二次電池１の縦方向についての収納空間１１の寸法が２６６ｍｍ、二次電池１の横方向についての収納空間１１の寸法が１８３ｍｍ、二次電池１の厚さ方向についての収納空間１１の寸法が１５ｍｍになる。
【００２０】
なお、ある実施例では、側壁（第１の側壁）８Ａ，８Ｂの間の距離が、側壁（第２の側壁）９Ａ，９Ｂの間の距離に比べて小さく、二次電池１において、縦方向についての寸法が、横方向についての寸法に比べて、大きくてもよい。別のある実施例では、側壁（第１の側壁）８Ａ，８Ｂの間の距離が、側壁（第２の側壁）９Ａ，９Ｂの間の距離と同一又は略同一であり、二次電池１において、縦方向についての寸法が、横方向についての寸法と同一又は略同一であってもよい。ただし、いずれの場合も、底壁７から開口１２までの距離が、側壁８Ａ，８Ｂの間の距離、及び、側壁９Ａ，９Ｂの間の距離のそれぞれに比べて、遥かに小さい。そして、二次電池１では、厚さ方向についての寸法が、縦方向についての寸法、及び、横方向についての寸法のそれぞれに比べて、遥かに小さい。
【００２１】
また、ある実施例では、第１の外装部材５は、底壁７、側壁８Ａ，８Ｂ，９Ａ，９Ｂ及びフランジ１３のそれぞれにおいて、後述する開放弁９１の薄肉部９３を除き、０．０２ｍｍ以上０．３ｍｍ以下の肉厚である。そして、略板状の第２の外装部材６は、０．０２ｍｍ以上０．３ｍｍ以下の肉厚である。
【００２２】
図６は、電極群１０の構成を説明する図である。図６に示すように、電極群１０は、例えば、扁平形状に形成され、正極２１と、負極２２と、セパレータ２３，２５と、を備える。正極２１は、正極集電体としての正極集電箔２１Ａと、正極集電箔２１Ａの表面に担持される正極活物質含有層２１Ｂと、を備える。正極集電箔２１Ａは、アルミニウム箔又はアルミニウム合金箔等であり、厚さが１０μｍ〜２０μｍ程度である。正極集電箔２１Ａには、正極活物質、結着剤及び導電剤を含むスラリーが塗布される。正極活物質としては、これらに限定されるものではないが、リチウムイオンを吸蔵放出できる酸化物、硫化物及びポリマー等が挙げられる。また、高い正極電位を得られる観点から、正極活物質は、リチウムマンガン複合酸化物、リチウムニッケル複合酸化物、リチウムコバルト複合酸化物及びリチウム燐酸鉄等が、用いられることが好ましい。
【００２３】
負極２２は、負極集電体としての負極集電箔２２Ａと、負極集電箔２２Ａの表面に担持される負極活物質含有層２２Ｂと、を備える。負極集電箔２２Ａは、アルミニウム箔、アルミニウム合金箔又は銅箔等であり、厚さが１０μｍ〜２０μｍ程度である。負極集電箔２２Ａには、負極活物質、結着剤及び導電剤を含むスラリーが塗布される。負極活物質としては、特に限定されるものではないが、リチウムイオンを吸蔵放出できる金属酸化物、金属硫化物、金属窒化物及び炭素材料等が挙げられる。負極活物質としては、リチウムイオンの吸蔵放出電位が金属リチウム電位に対して０．４Ｖ以上となる物質、すなわち、リチウムイオンの吸蔵放出電位が０．４Ｖ（ｖｓ．Ｌｉ＋／Ｌｉ）以上になる物質であることが好ましい。このようなリチウムイオン吸蔵放出電位を有する負極活物質を用いることにより、アルミニウム又はアルミニウム合金とリチウムとの合金反応が抑えられるため、負極集電箔２２Ａ及び負極２２に関連する構成部材に、アルミニウム及びアルミニウム合金を使用可能になる。リチウムイオンの吸蔵放出電位が０．４Ｖ（ｖｓ．Ｌｉ＋／Ｌｉ）以上になる負極活物質としては、例えば、チタン酸化物、チタン酸リチウム等のリチウムチタン複合酸化物、タングステン酸化物、アモルファススズ酸化物、ニオブ・チタン複合酸化物、スズ珪素酸化物、及び、酸化珪素等が挙げられ、リチウムチタン複合酸化物を負極活物質として用いることが、特に好ましい。なお、リチウムイオンを吸蔵放出する炭素材料を負極活物質として用いる場合は、負極集電箔２２Ａは銅箔を用いるとよい。負極活物質として用いられる炭素材料は、リチウムイオンの吸蔵放出電位が０Ｖ（ｖｓ．Ｌｉ＋／Ｌｉ）程度になる。
【００２４】
正極集電箔２１Ａ及び負極集電箔２２Ａに用いられるアルミニウム合金は、Ｍｇ、Ｔｉ、Ｚｎ、Ｍｎ、Ｆｅ、Ｃｕ及びＳｉから選択される１種または２種以上の元素を含むことが望ましい。アルミニウム及びアルミニウム合金の純度は、９８重量％以上にすることができ、９９．９９重量％以上が好ましい。また、純度１００％の純アルミニウムを、正極集電体及び／又は負極集電体の材料として用いることが可能である。アルミニウム及びアルミニウム合金における、ニッケル、クロムなどの遷移金属の含有量は１００重量ｐｐｍ以下（０重量ｐｐｍを含む）にすることが好ましい。
【００２５】
正極集電箔２１Ａでは、一方の長辺縁２１Ｃ及びその近傍部位によって、正極集電タブ２１Ｄが形成される。本実施形態では、正極集電タブ２１Ｄは、長辺縁２１Ｃの全長に渡って形成される。正極集電タブ２１Ｄでは、正極集電箔２１Ａの表面に正極活物質含有層２１Ｂが担持されない。また、負極集電箔２２Ａでは、一方の長辺縁２２Ｃ及びその近傍部位によって、負極集電タブ２２Ｄが形成される。本実施形態では、負極集電タブ２２Ｄは、長辺縁２２Ｃの全長に渡って形成される。負極集電タブ２２Ｄでは、負極集電箔２２Ａの表面に負極活物質含有層２２Ｂが担持されない。
【００２６】
セパレータ２３，２５のそれぞれは、電気的に絶縁性を有する材料から形成され、正極２１と負極２２との間を電気的に絶縁する。セパレータ２３，２５のそれぞれは、正極２１及び負極２２とは別体のシート等であってもよく、正極２１及び負極２２の一方と一体に形成されてもよい。また、セパレータ２３，２５は、有機材料から形成されてもよく、無機材料から形成されてもよく、有機材料と無機材料との混合物から形成されてもよい。セパレータ２３，２５を形成する有機材料としては、エンプラ及びスーパーエンプラが挙げられる。そして、エンプラとしては、ポリアミド、ポリアセタール、ポリブチレンテレフタレート、ポリエチレンテレフタレート、シンジオタクチック・ポリスチレン、ポリカーボネート、ポリアミドイミド、ポリビニルアルコール、ポリフッ化ビニリデン及び変性ポリフェニレンエーテル等が挙げられる。また、スーパーエンプラとしては、ポリフェニレンサルファイド、ポリエーテルエーテルケトン、液晶ポリマー、ポリビニリデンフロライド、ポリテトラフルオロエチレン（ＰＴＦＥ）、ポリエーテルニトリル、ポリサルホン、ポリアクリレート、ポリエーテルイミド及び熱可塑性ポリイミド等が挙げられる。また、セパレータ２３，２５を形成する無機材料としては、酸化物（例えば、酸化アルミニウム、二酸化ケイ素、酸化マグネシウム、リン酸化物、酸化カルシウム、酸化鉄、酸化チタン）、窒化物（例えば、窒化ホウ素、窒化アルミニウム、窒化珪素、窒化バリウム）等が挙げられる。
【００２７】
電極群１０では、正極活物質含有層２１Ｂと負極活物質含有層２２Ｂとの間でセパレータ２３，２５のそれぞれが挟まれた状態で、正極２１、負極２２及びセパレータ２３，２５が幾何学上（仮想上）の捲回軸Ｂを中心として扁平形状に捲回される。この際、例えば、正極２１、セパレータ２３、負極２２及びセパレータ２５は、この順に重ねられた状態で、捲回される。また、電極群１０では、正極集電箔２１Ａの正極集電タブ２１Ｄが、負極２２及びセパレータ２３，２５に対して、捲回軸Ｂに沿う方向の一方側へ突出する。そして、負極集電箔２２Ａの負極集電タブ２２Ｄが、正極２１及びセパレータ２３，２５に対して、捲回軸Ｂに沿う方向について正極集電タブ２１Ｄが突出する側とは反対側に、突出する。電極群１０は、捲回軸Ｂが二次電池１の横方向に沿う状態で配置され、捲回軸Ｂが側壁（第２の側壁）９Ａ，９Ｂに沿う状態で配置される。収納空間１１では、正極集電タブ２１Ｄは、二次電池１の横方向について一方側の端部に配置される。そして、収納空間１１では、負極集電タブ２２Ｄは、二次電池１の横方向について正極集電タブ２１Ｄが位置する側とは反対側の端部に配置される。
【００２８】
ある実施例では、収納空間１１において、電極群１０に、電解液（図示しない）が含浸される。電解液としては、非水電解液が用いられ、例えば、電解質を有機溶媒に溶解することにより調製される非水電解液が用いられる。この場合、有機溶媒に溶解させる電解質として、過塩素酸リチウム（ＬｉＣｌＯ4）、六フッ化リン酸リチウム（ＬｉＰＦ6）、四フッ化ホウ酸リチウム（ＬｉＢＦ4）、六フッ化砒素リチウム（ＬｉＡｓＦ6）、トリフルオロメタンスルホン酸リチウム（ＬｉＣＦ3ＳＯ3）及びビストリフルオロメチルスルホニルイミドリチウム［ＬｉＮ（ＣＦ3ＳＯ2）2］等のリチウム塩、及び、これらの混合物が挙げられる。また、有機溶媒として、プロピレンカーボネート（ＰＣ）、エチレンカーボネート（ＥＣ）及びビニレンカーボネート等の環状カーボネート；ジエチルカーボネート（ＤＥＣ）、ジメチルカーボネート（ＤＭＣ）及びメチルエチルカーボネート（ＭＥＣ）等の鎖状カーボネート；テトラヒドロフラン（ＴＨＦ）、２メチルテトラヒドロフラン（２ＭｅＴＨＦ）、及びジオキソラン（ＤＯＸ）等の環状エーテル；ジメトキシエタン（ＤＭＥ）及びジエトキシエタン（ＤＥＥ）等の鎖状エーテル；γ−ブチロラクトン（ＧＢＬ）、アセトニトリル（ＡＮ）及びスルホラン（ＳＬ）等が挙げられる。これらの有機溶媒は、単独で、又は、混合溶媒として用いられる。
【００２９】
また、ある実施例では、非水電解質として、非水電解液と高分子材料とを複合化したゲル状非水電解質が、電解液の代わりに用いられる。この場合、前述した電解質及び有機溶媒が用いられる。また、高分子材料として、ポリフッ化ビニリデン（ＰＶｄＦ）、ポリアクリロニトリル（ＰＡＮ）及びポリエチレンオキサイド（ＰＥＯ）等が挙げられる。
【００３０】
また、ある実施例では、電解液の代わりに、高分子固体電解質及び無機固体電解質等の固体電解質が非水電解質として設けられる。この場合、電極群１０に、セパレータ２３，２５が設けられなくてもよい。そして、電極群１０では、セパレータ２３，２５の代わりに、固体電解質が正極２１と負極２２との間で挟まれる。このため、本実施例では、固体電解質によって、正極２１と負極２２との間が電気的に絶縁される。
【００３１】
図１及び図２に示すように、第１の外装部材５では、側壁８Ａの外表面に、傾斜面２６Ａが設けられ、側壁８Ｂの外表面に、傾斜面２６Ｂが設けられる。傾斜面２６Ａ，２６Ｂのそれぞれは、底壁７に対して傾斜するとともに、二次電池１の厚さ方向に対して傾斜する。そして、傾斜面２６Ａ，２６Ｂのそれぞれは、二次電池１の厚さ方向について底壁７が位置する側に向かうにつれて二次電池１の横方向について内側に向かう状態に、傾斜する。本実施形態では、傾斜面２６Ａは、側壁８Ａにおいて、二次電池１の厚さ方向について底壁７が位置する側の端部に設けられ、側壁８Ａと底壁７との間の境界線の一部を形成する。そして、傾斜面２６Ｂは、側壁８Ｂにおいて、二次電池１の厚さ方向について底壁７が位置する側の端部に設けられ、側壁８Ｂと底壁７との間の境界線の一部を形成する。また、本実施形態では、傾斜面２６Ａは、縦方向について側壁８Ａの中央部に配置され、傾斜面２６Ｂは、縦方向について側壁８Ｂの中央部に配置される。
【００３２】
第１の外装部材５の外表面には、一対の端子２７Ａ，２７Ｂが取付けられる。端子２７Ａ，２７Ｂの一方が二次電池１の正極端子となり、端子２７Ａ，２７Ｂの他方が二次電池１の負極端子となる。本実施形態では、端子２７Ａは、側壁８Ａの傾斜面２６Ａに取付けられ、端子２７Ｂは、側壁８Ｂの傾斜面２６Ｂに取付けられる。端子２７Ａ，２７Ｂのそれぞれは、導電材料から形成され、例えば、アルミニウム、銅及びステンレス等のいずれかから形成される。
【００３３】
図７は、電極群１０と一対の端子２７Ａ，２７Ｂの一方との間の電気的な接続構成を示す。図７に示すように、電極群１０の正極集電タブ２１Ｄは、超音波溶接等の溶接によって束ねられる。そして、正極集電タブ２１Ｄの束は、正極バックアップリード３１Ａ、正極中継リード３２Ａ及び正極端子リード３３Ａ等を含む１つ以上の正極リードを介して、端子２７Ａ，２７Ｂの対応する一方（正極端子）に電気的に接続される。この際、正極集電タブ２１Ｄと正極リードとの間の接続、正極リード同士の接続、及び、正極リードと正極端子との間の接続は、超音波溶接等の溶接によって、行われる。ここで、正極リードは、導電性を有する金属から形成される。また、正極端子（２７Ａ，２７Ｂの対応する一方）、正極集電タブ２１Ｄ及び正極リードは、絶縁部材（図示しない）等によって、外装部３（外装部材５，６）に対して電気的に絶縁される。
【００３４】
同様に、電極群１０の負極集電タブ２２Ｄは、超音波溶接等の溶接によって束ねられる。そして、負極集電タブ２２Ｄの束は、負極バックアップリード３１Ｂ、負極中継リード３２Ｂ及び負極端子リード３３Ｂ等を含む１つ以上の負極リードを介して、端子２７Ａ，２７Ｂの対応する一方（負極端子）に電気的に接続される。この際、負極集電タブ２２Ｄと負極リードとの間の接続、負極リード同士の接続、及び、負極リードと負極端子との間の接続は、超音波溶接等の溶接によって、行われる。ここで、負極リードは、導電性を有する金属から形成される。また、負極端子（２７Ａ，２７Ｂの対応する一方）、負極集電タブ２２Ｄ及び負極リードは、絶縁部材（図示しない）等によって、外装部３（外装部材５，６）に対して電気的に絶縁される。
【００３５】
図８は、二次電池１において、横方向に沿う一対の側壁９Ａ，９Ｂの一方、及び、その側壁（９Ａ，９Ｂの対応する一方）から外周側への突出部分の構成を、横方向に垂直又は略垂直な断面で示す。図３乃至図５、図７及び図８に示すように、二次電池１には、フランジ１３及び第２の外装部材６を気密に溶接する溶接部７１が形成される。溶接部７１は、開口１２の開口縁１５に対して、外周側、すなわち、開口１２の開口面に平行な方向について開口１２から離れる側に、設けられる。したがって、溶接部７１は、フランジ１３及び第２の外装部材６において、開口縁１５から外周側への突出部分に設けられる。溶接部７１は、開口縁１５に沿って延設され、開口１２の周方向について全周に渡って連続して形成される。このため、開口１２の周方向について全周に渡って、フランジ１３及び第２の外装部材６が気密に溶接される。溶接部７１で前述のようにフランジ１３及び第２の外装部材６が気密に溶接されるため、収納空間１１が密閉され、収納空間１１が封止される。
【００３６】
また、溶接部７１は、フランジ１３の外縁５１と開口縁１５との間、すなわち、第２の外装部材６の外縁６１と開口縁１５との間に、形成される。ある実施例では、溶接部７１の外端が、フランジ１３の外縁５１及び第２の外装部材６の外縁６１を形成する。別のある実施例では、フランジ１３及び第２の外装部材６のそれぞれは、溶接部７１の外端から外縁（５１，６１）まである程度の寸法を有する。ある実施例では、溶接部７１の幅、すなわち、溶接部７１の内端と外端との間の寸法は、２ｍｍ程度である。そして、溶接部７１の外端からフランジ１３の外縁５１及び第２の外装部材６の外縁６１までの寸法は、８．５ｍｍ程度である。なお、溶接部７１では、例えば、抵抗シーム溶接によって、フランジ１３及び第２の外装部材６が溶接される。抵抗シーム溶接が行われることにより、レーザ溶接等に比べて、コストが抑えられるとともに、フランジ１３と第２の外装部材６との間の気密性が高い。
【００３７】
溶接部７１は、縦方向に沿う一対の第１の溶接部７２Ａ，７２Ｂ、及び、横方向に沿う一対の第２の溶接部７３Ａ，７３Ｂを有する。第１の溶接部７２Ａは、フランジ１３及び第２の外装部材６において、第１の開口縁１６Ａから外周側への突出部分に形成される。そして、第１の溶接部７２Ａは、第１のフランジ外縁５２Ａと第１の開口縁１６Ａとの間、すなわち、第１の部材外縁６２Ａと第１の開口縁１６Ａとの間に、形成される。また、第１の溶接部７２Ｂは、フランジ１３及び第２の外装部材６において、第１の開口縁１６Ｂから外周側への突出部分に形成される。そして、第１の溶接部７２Ｂは、第１のフランジ外縁５２Ｂと第１の開口縁１６Ｂとの間、すなわち、第１の部材外縁６２Ｂと第１の開口縁１６Ｂとの間に、形成される。第２の溶接部７３Ａは、フランジ１３及び第２の外装部材６において、第２の開口縁１７Ａから外周側への突出部分に形成される。そして、第２の溶接部７３Ａは、第２のフランジ外縁５３Ａと第２の開口縁１７Ａとの間、すなわち、第２の部材外縁６３Ａと第２の開口縁１７Ａとの間に、形成される。また、第２の溶接部７３Ｂは、フランジ１３及び第２の外装部材６において、第２の開口縁１７Ｂから外周側への突出部分に形成される。そして、第２の溶接部７３Ｂは、第２のフランジ外縁５３Ｂと第２の開口縁１７Ｂとの間、すなわち、第２の部材外縁６３Ｂと第２の開口縁１７Ｂとの間に、形成される。
【００３８】
また、溶接部７１は、中継溶接部７５Ａ〜７５Ｄを有する（後述する図１０乃至図１２参照）。中継溶接部７５Ａは、第１の溶接部７２Ａから第２の溶接部７３Ａまで連続して延設され、中継溶接部７５Ｂは、第１の溶接部７２Ａから第２の溶接部７３Ｂまで連続して延設される。また、中継溶接部７５Ｃは、第１の溶接部７２Ｂから第２の溶接部７３Ａまで連続して延設され、中継溶接部７５Ｄは、第１の溶接部７２Ｂから第２の溶接部７３Ｂまで連続して延設される。すなわち、中継溶接部７５Ａ〜７５Ｄのそれぞれは、一対の第１の溶接部７２Ａ，７２Ｂの対応する一方から一対の第２の溶接部７３Ａ，７３Ｂの対応する一方まで連続して延設される。
【００３９】
中継溶接部７５Ａは、フランジ１３の中継外縁５５Ａと開口縁１５との間、すなわち、第２の外装部材６の中継外縁６５Ａと開口縁１５との間に、形成される。また、中継溶接部７５Ｂは、フランジ１３の中継外縁５５Ｂと開口縁１５との間、すなわち、第２の外装部材６の中継外縁６５Ｂと開口縁１５との間に、形成される。中継溶接部７５Ｃは、フランジ１３の中継外縁５５Ｃと開口縁１５との間、すなわち、第２の外装部材６の中継外縁６５Ｃと開口縁１５との間に、形成される。そして、中継溶接部７５Ｄは、フランジ１３の中継外縁５５Ｄと開口縁１５との間、すなわち、第２の外装部材６の中継外縁６５Ｄと開口縁１５との間に、形成される。中継溶接部７５Ａ〜７５Ｄのそれぞれは、フランジ１３の中継外縁５５Ａ〜５５Ｄの対応する１つに沿って、すなわち、第２の外装部材６の中継外縁６５Ａ〜６５Ｄの対応する１つに沿って、延設される。
【００４０】
また、図１、図２及び図８に示すように、一対の側壁９Ａ，９Ｂの一方には、開放弁９１が設けられ、本実施形態では、開放弁９１は、側壁９Ｂに設けられる。外装部３の内部の内圧、すなわち、収納空間１１の内圧が所定の値以上になることにより、開放弁９１は開放される。開放弁９１が開放されることにより、外装部３の内部の収納空間１１から外装部３の外部に、開放弁９１を介して気体が排出される。なお、図４は、縦方向について、収納空間１１に対して開放弁９１（側壁９Ｂ）が位置する側から、二次電池１を視た状態を示す。また、図８は、開放弁９１を通る断面を示す。
【００４１】
図９は、側壁９Ｂの内表面において開放弁９１及びその近傍の構成を示す。図８及び図９に示すように、本実施形態では、側壁９Ｂの内表面に、外周側へ凹む溝９２が設けられる。そして、開放弁９１では、溝９２によって、肉厚が側壁８Ａ，８Ｂ，９Ａ，９Ｂの他の部分に比べて薄い薄肉部９３が形成される。本実施形態では、開放弁９１及び溝９２は、二次電池１の横方向について側壁９Ｂの中央部に、設けられる。そして、溝９２は、二次電池１の横方向に沿って直線状又は略直線状に延設される。また、側壁９Ｂにおいて横方向に垂直又は略垂直な断面では、溝９２はＶ字状又は略Ｖ字状に形成される。すなわち、溝９２の延設方向に垂直又は略垂直な断面では、溝９２はＶ字状又は略Ｖ字状に形成される。そして、開放弁９１の薄肉部９３では、溝９２のＶ字の頂点において、側壁９Ｂの肉厚が最も薄くなる。前述のように薄肉部９３が形成されるため、開放弁９１は、側壁８Ａ，８Ｂ，９Ａ，９Ｂの他の部分に比べて、衝撃に対する耐性が低くなる。
【００４２】
ある実施例では、開放弁９１において、溝９２の延設寸法Ｌ１は、５０ｍｍ程度となる。そして、溝９２の幅Ｗ１は、０．１ｍｍ程度となる。本実施形態では、溝９２の延設寸法Ｌ１が、二次電池１の横方向についての溝９２の寸法に相当し、溝９２の幅Ｗ１が、二次電池１の厚さ方向についての溝９２の寸法に相当する。また、ある実施例では、開放弁９１以外の部位において、側壁９Ｂの肉厚ｔ１が０．１ｍｍ程度となり、溝９２のＶ字の頂点での側壁９Ｂの肉厚ｔ２、すなわち、薄肉部９３における肉厚の最小値が、０．０１ｍｍ以上０．０２ｍｍ以下程度になる。
【００４３】
また、二次電池１には、フランジ１３及び第２の外装部材６が一緒に折曲がる折曲がり部８１が形成される。折曲がり部８１は、フランジ１３及び第２の外装部材６において、開口縁１５から外周側への突出部分に設けられる。したがって、折曲がり部８１は、開口縁１５とフランジ１３の外縁５１との間、すなわち、開口縁１５と第２の外装部材６の外縁６１との間に、設けられる。折曲がり部８１は、開口縁１５に沿って延設される。また、折曲がり部８１は、開口１２の周方向について一部の範囲に渡って延設されてもよく、開口１２の全周に渡って連続してもよい。本実施形態では、折曲がり部８１は、開口１２の周方向について、一対の第１の開口縁１６Ａ，１６Ｂが延設される範囲、及び、一対の第２の開口縁１７Ａ，１７Ｂが延設される範囲の両方に渡って、形成される。このため、開口１２の周方向について少なくとも開放弁９１が位置する範囲に渡っては、折曲がり部８１が、形成される。また、本実施形態では、折曲がり部８１は、開口縁１５と溶接部７１との間に設けられる。したがって、本実施形態では、溶接部７１は、折曲がり部８１とフランジ１３の外縁５１との間、すなわち、折曲がり部８１と第２の外装部材６の外縁６１との間に、設けられる。
【００４４】
フランジ１３及び第２の外装部材６のそれぞれは、開口縁１５から外周側に向かって折曲がり部８１まで延設される。すなわち、フランジ１３及び第２の外装部材６のそれぞれは、開口縁１５から折曲がり部８１まで、開口平面に平行な方向について開口１２から離れる側に、延設される。開口縁１５と折曲がり部８１との間では、フランジ１３及び第２の外装部材６のそれぞれは、開口平面に対して平行又は略平行になる。そして、開口縁１５と折曲がり部８１との間では、フランジ１３及び第２の外装部材６は、互いに対して平行又は略平行になる。
【００４５】
フランジ１３及び第２の外装部材６のそれぞれの延設方向は、折曲がり部８１によって、変化する。本実施形態では、二次電池１の厚さ方向について底壁７が位置する側へ、フランジ１３及び第２の外装部材６が、折曲がり部８１で一緒に折曲がる。このため、フランジ１３及び第２の外装部材６のそれぞれは、折曲がり部８１から外縁（５１；６１）まで、第１の外装部材５の底壁７が位置する側へ向かって、延設される。折曲がり部８１と外縁（５１；６１）との間では、フランジ１３及び第２の外装部材６のそれぞれは、折曲がり部８１以外の部位で折曲がることなく、すなわち、折曲がり部８１以外の部位で延設方向が変化することなく、延設される。そして、折曲がり部８１と外縁（５１，６１）との間では、フランジ１３及び第２の外装部材６は、互いに対して平行又は略平行になる。
【００４６】
フランジ１３及び第２の外装部材６のそれぞれは、折曲がり部８１において、３０°以上１５０°以下の範囲のいずれかの折曲がり角度で折曲がる。ある実施例では、フランジ１３及び第２の外装部材６のそれぞれは、折曲がり部８１において、８０°の折曲がり角度で折曲がる。折曲がり角度が前述の範囲になることにより、フランジ１３及び第２の外装部材６のそれぞれは、折曲がり部８１から外縁（５１；６１）まで、開口１２の開口面に対して交差する方向に沿って延設される。この場合、フランジ１３及び第２の外装部材６のそれぞれは、折曲がり部８１から外縁（５１；６１）まで、開口１２の開口面に対して傾斜する方向、又は、開口面に対して垂直な方向に沿って延設される。そして、折曲がり部８１での折曲がり角度が９０°より大きくかつ１５０°以下のいずれかの角度になる場合は、フランジ１３及び第２の外装部材６のそれぞれは、折曲がり部８１から外縁（５１；６１）まで、内周側に向かって延設される。すなわち、フランジ１３及び第２の外装部材６のそれぞれは、折曲がり部８１から外縁（５１；６１）まで、開口面に平行な方向について開口１２に近づく側に向かって、延設される。この場合、折曲がり部８１は、フランジ１３及び第２の外装部材６のそれぞれにおいて、開口縁１５からの突出部分の外周端を形成する。
【００４７】
なお、開口縁１５（側壁８Ａ，８Ｂ，９Ａ，９Ｂ）から折曲がり部８１までの寸法（距離）は、可能な限り小さいことが好ましい。開口縁１５から折曲がり部８１までの寸法が小さくなることにより、二次電池１の縦方向の寸法及び二次電池１の横方向の寸法が大きくなることが防止され、二次電池１のエネルギー密度の低下が防止される。また、折曲がり部８１からフランジ１３の外縁５１までの距離、すなわち、折曲がり部８１から第２の外装部材６の外縁６１までの距離は、開口１２から底壁７までの距離に比べて、小さいことが好ましい。これにより、二次電池１の厚さ方向の寸法が大きくなることが防止され、二次電池１のエネルギー密度の低下が防止される。ある実施例では、開口縁１５から折曲がり部８１までの寸法は、０．５ｍｍ程度になる。そして、二次電池１の厚さ方向につての収納空間１１の寸法が１５ｍｍ程度となり、折曲がり部８１から外縁（５１，６１）までの寸法が、１２．５ｍｍ程度になる。そして、折曲がり部８１から溶接部７１の内端までの距離が、２ｍｍ程度になる。
【００４８】
折曲がり部８１は、縦方向に沿う一対の第１の折曲がり部８２Ａ，８２Ｂ、及び、横方向に沿う一対の第２の折曲がり部８３Ａ，８３Ｂを有する。第１の折曲がり部８２Ａは、フランジ１３及び第２の外装部材６において、第１の開口縁１６Ａから外周側への突出部分に形成される。そして、第１の折曲がり部８２Ａは、第１の開口縁１６Ａと第１の溶接部７２Ａとの間に、形成される。また、第１の折曲がり部８２Ｂは、フランジ１３及び第２の外装部材６において、第１の開口縁１６Ｂから外周側への突出部分に形成される。そして、第１の折曲がり部８２Ｂは、第１の開口縁１６Ｂと第１の溶接部７２Ｂとの間に、形成される。第２の折曲がり部８３Ａは、フランジ１３及び第２の外装部材６において、第２の開口縁１７Ａから外周側への突出部分に形成される。そして、第２の折曲がり部８３Ａは、第２の開口縁１７Ａと第２の溶接部７３Ａとの間に、形成される。また、第２の折曲がり部８３Ｂは、フランジ１３及び第２の外装部材６において、第２の開口縁１７Ｂから外周側への突出部分に形成される。そして、第２の折曲がり部８３Ｂは、第２の開口縁１７Ｂと第２の溶接部７３Ｂとの間に、形成される。
【００４９】
中継外縁６５Ａ〜６５Ｄのそれぞれは、一対の第１の折曲がり部８２Ａ，８２Ｂの対応する一方と交差する。交差位置において中継外縁６５Ａ〜６５Ｄのそれぞれと第１の折曲がり部８２Ａ，８２Ｂの対応する一方とが成す角度は、鋭角になる。また、中継外縁６５Ａ〜６５Ｄのそれぞれは、一対の第２の折曲がり部８３Ａ，８３Ｂの対応する一方と交差する。交差位置において中継外縁６５Ａ〜６５Ｄのそれぞれと第２の折曲がり部８３Ａ，８３Ｂの対応する一方とが成す角度は、鋭角になる。
【００５０】
同様に、中継溶接部７５Ａ〜７５Ｄのそれぞれは、一対の第１の折曲がり部８２Ａ，８２Ｂの対応する一方と交差する。交差位置において中継溶接部７５Ａ〜７５Ｄのそれぞれと第１の折曲がり部８２Ａ，８２Ｂの対応する一方とが成す角度は、鋭角になる。また、中継溶接部７５Ａ〜７５Ｄのそれぞれは、一対の第２の折曲がり部８３Ａ，８３Ｂの対応する一方と交差する。交差位置において中継溶接部７５Ａ〜７５Ｄのそれぞれと第２の折曲がり部８３Ａ，８３Ｂの対応する一方とが成す角度は、鋭角になる。
【００５１】
本実施形態では、前述のように折曲がり部８１が設けられるため、折曲がり部８１からフランジ１３の外縁５１までの延設部分、及び、折曲がり部８１から第２の外装部材６の外縁６１までの延設部分が、側壁８Ａ，８Ｂ，９Ａ，９Ｂに対して、外周側に位置する。また、第２の開口縁１７Ｂ及び側壁９Ｂから外周側への突出部分では、第２の折曲がり部８３Ｂからフランジ１３の第２のフランジ外縁５３Ｂまでの延設部分、及び、第２の折曲がり部８３Ｂから第２の外装部材６の第２の部材外縁６３Ｂまでの延設部分が、側壁９Ｂ及び開放弁９１に対して、外周側に位置する。
【００５２】
ある実施例では、開口１２の周方向について側壁９Ｂが延設される範囲では、フランジ１３及び第２の外装部材６のそれぞれの外縁（５１；６１）は、開放弁９１に対して、底壁７が位置する側に位置する。この場合、開口１２の周方向について開放弁９１が位置する範囲では、第２の折曲がり部８３Ｂからフランジ１３の第２のフランジ外縁５３Ｂまでの延設部分、及び、第２の折曲がり部８３Ｂから第２の外装部材６の第２の部材外縁６３Ｂまでの延設部分が、開放弁９１に対して外周側から対向する。また、この場合、開口１２の周方向について開放弁９１が位置する範囲では、第２の折曲がり部８３Ｂからフランジ１３の第２のフランジ外縁５３Ｂまでの延設部分、及び、第２の折曲がり部８３Ｂから第２の外装部材６の第２の部材外縁６３Ｂまでの延設部分が、開放弁９１から外周側にある程度離れていることが好ましい。これにより、開放弁９１から気体が排出された際に、排出された気体の経路が確保される。
【００５３】
また、別のある実施例では、開口１２の周方向について側壁９Ｂが延設される範囲では、フランジ１３及び第２の外装部材６のそれぞれの外縁（５１；６１）は、開放弁９１に対して、底壁７が位置する側とは反対側に位置する。ただし、この場合、開放弁９１への物理的な接触を防止する観点から、フランジ１３及び第２の外装部材６のそれぞれの外縁（５１；６１）は、開放弁９１に対して底壁が位置する側とは反対側に大きく離れない。したがって、二次電池１の厚さ方向について、フランジ１３及び第２の外装部材６のそれぞれの外縁（５１；６１）から開放弁９１の距離は、微小である。
【００５４】
次に、本実施形態の二次電池１の製造方法について、説明する。二次電池１の製造においては、第１の外装部材５及び第２の外装部材６を形成する。この際、第１の外装部材５の側壁９Ｂに、開放弁９１を形成する。本実施形態、開放弁９１の形成は、外周面に突起が形成される円筒状のローラを用いて、行われる。開放弁９１の形成では、ローラの突起によって、側壁９Ｂの内表面を加圧する。この際、二次電池１の横方向について側壁９Ｂの中央部において、側壁９Ｂの内表面が加圧される。そして、ローラの突起によって側壁９Ｂの内表面が加圧された状態で、ローラを回転する。これにより、側壁９Ｂの内表面に、外周側へ凹むＶ字状の溝９２が形成される。そして、溝９２によって、肉厚が側壁８Ａ，８Ｂ，９Ａ，９Ｂの他の部分に比べて薄い薄肉部９３が形成される。これにより、薄肉部９３を含む開放弁９１が、側壁９Ｂに形成される。
【００５５】
外装部材５，６のそれぞれを形成すると、第２の外装部材６を第１の外装部材５のフランジ１３に対向して配置する。そして、図１０に示すように、フランジ１３と第２の外装部材６を気密に溶接し、溶接部７１を形成する。溶接部７１の形成においては、まず、一対の第１の溶接部７２Ａ，７２Ｂ及び一対の第２の溶接部７３Ａ，７３Ｂを形成する。そして、第１の溶接部７２Ａ，７２Ｂ及び第２の溶接部７３Ａ，７３Ｂに対して傾斜する状態で、中継溶接部７５Ａ〜７５Ｄを形成する。ここで、第１の溶接部７２Ａ，７２Ｂ及び第２の溶接部７３Ａ，７３Ｂは、４つの交点α１〜α４を形成する。中継溶接部７５Ａ〜７５Ｄのそれぞれは、開口縁１５と交点α１〜α４の対応する１つとの間に形成される。したがって、中継溶接部７５Ａ〜７５Ｄのそれぞれは、交点α１〜α４の対応する１つに対して、内周側（開口縁１５に近い側）に形成される。
【００５６】
そして、図１１に示すように、溶接部７１に対して外周側の位置で、フランジ１３及び第２の外装部材６をカットし、カットされた位置より外周側をトリミングする（取り除く）。これにより、フランジ１３の外縁５１及び第２の外装部材６の外縁６１が、形成される。この際、中継溶接部７５Ａ〜７５Ｄのそれぞれでは、中継溶接部（７５Ａ〜７５Ｄの対応する１つ）の外端又は外端に近接する位置で、中継溶接部（７５Ａ〜７５Ｄの対応する１つ）に沿って、フランジ１３及び第２の外装部材６をカットされる。このため、第１の溶接部７２Ａ，７２Ｂ及び第２の溶接部７３Ａ，７３Ｂが形成する交点α１〜α４は、トリミングによって、取除かれる。交点α１〜α４を取除くトリミングによって、フランジ１３の中継外縁５５Ａ〜５５Ｄ及び第２の外装部材６の中継外縁６５Ａ〜６５Ｄが、形成される。
【００５７】
そして、図１２に示すように、第１の溶接部７２Ａに対して内周側（開口１２に近い側）の折曲げ線Ｈ１でフランジ１３及び第２の外装部材６を一緒に折曲げることにより、第１の折曲がり部８２Ａが形成される。同様に、第１の溶接部７２Ｂに対して内周側でフランジ１３及び第２の外装部材６を一緒に折曲げることにより、第１の折曲がり部８２Ｂが形成される。また、第２の溶接部７３Ａに対して内周側（開口１２に近い側）の折曲げ線Ｈ２でフランジ１３及び第２の外装部材６を一緒に折曲げることにより、第２の折曲がり部８３Ａが形成される。同様に、第２の溶接部７３Ｂに対して内周側でフランジ１３及び第２の外装部材６を一緒に折曲げることにより、第２の折曲がり部８３Ｂが形成される。
【００５８】
前述のように中継外縁５５Ａ〜５５Ｄ，６５Ａ〜６５Ｄが形成されるため、第１の折曲がり部８２Ａから第１のフランジ外縁５２Ａ及び第１の部材外縁６２Ａまでの延設部分の、第２の折曲がり部８３Ａ，８３Ｂのそれぞれから対応する第２のフランジ外縁（５３Ａ；５３Ｂ）及び対応する第２の部材外縁（６３Ａ；６３Ｂ）までの延設部分への干渉が、有効に防止される。同様に、第１の折曲がり部８２Ｂから第１のフランジ外縁５２Ｂ及び第１の部材外縁６２Ｂまでの延設部分の、第２の折曲がり部８３Ａ，８３Ｂのそれぞれから対応する第２のフランジ外縁（５３Ａ；５３Ｂ）及び対応する第２の部材外縁（６３Ａ；６３Ｂ）までの延設部分への干渉が、有効に防止される。これにより、開口１２の周方向について、第１の開口縁１６Ａ，１６Ｂが延設される範囲、及び、第２の開口縁１７Ａ，１７Ｂが延設される範囲の両方に渡って、折曲がり部８１が、容易に形成される。
【００５９】
次に、二次電池１の使用時の作用等について説明する。二次電池１では、例えば、長時間使用した場合等において、電極群１０が収納される収納空間１１にガスが発生することがある。収納空間１１にガスが発生すると、外装部３の内圧が上昇する。そして、外装部３の内圧が所定の値以上になると、第１の外装部材５において他の部分より肉厚が薄い薄肉部９３において、亀裂が発生する。これにより、開放弁９１は開放され、外装部３の内部の収納空間１１から外装部３の外部に、開放弁９１を介して気体が排出される。ここで、開放弁９１が開放される内圧の閾値である所定の値は、二次電池１が過度に膨張した状態での内圧より、低く設定される。したがって、開放弁９１は、二次電池１の安全機構として機能する。
【００６０】
ここで、開放弁９１の薄肉部９３は、前述のように、第１の外装部材５の他の部位に比べて、肉厚が薄い。このため、開放弁９１の薄肉部９３は、外部からの衝撃に対する耐性が低い。本実施形態では、フランジ１３及び第２の外装部材６において、開口縁１５から外周側への突出部分に、折曲がり部８１が設けられる。そして、折曲がり部８１からフランジ１３の外縁５１までの延設部分、及び、折曲がり部８１から第２の外装部材６の外縁６１までの延設部分が、側壁８Ａ，８Ｂ，９Ａ，９Ｂに対して、外周側に位置する。このため、第２の折曲がり部８３Ｂからフランジ１３の第２のフランジ外縁５３Ｂまでの延設部分、及び、第２の折曲がり部８３Ｂから第２の外装部材６の第２の部材外縁６３Ｂまでの延設部分が、開放弁９１に対して、外周側に位置する。
【００６１】
前述のような構成であるため、本実施形態では、二次電池１の使用時等において、第２の折曲がり部８３Ｂから第２のフランジ外縁５３Ｂ及び第２の部材外縁６３Ｂまでの延設部分によって、開放弁９１への外部からの物理的な接触が、有効に防止される。また、外部からの衝撃等を二次電池１が受けても、開放弁９１以外の部位が物理的に接触するため、開放弁９１に作用する応力等は低減される。したがって、開放弁９１への外部からの物理的接触が防止されることにより、外部からの衝撃等に対して開放弁９１が適切に保護される。これにより、外部からの衝撃を二次電池１が受けた場合等において、開放弁９１が破損する可能性が低減される。
【００６２】
また、本実施形態では、フランジ１３及び第２の外装部材６の開口縁１５からの突出部分において、開口縁１５と溶接部７１との間に、折曲がり部８１が設けられる。そして、折曲がり部８１において、フランジ１３及び第２の外装部材６が一緒に折曲がる。このような構成であるため、外装部３の内圧の上昇によって外装部３が外側へ膨張した際において、膨張による応力は、折曲がり部８１と溶接部７１との間の範囲Ａ１（図８参照）に分散される。したがって、溶接部７１の内端への応力の集中が防止される。範囲Ａ１に応力が分散するため、外装部３の膨張がある程度大きくなっても、溶接部７１等に作用する応力が大きくならない。このため、外装部３の内圧が高くなり、外装部３がある程度膨張しても、外装部３の開放弁９１以外の部位での亀裂等の発生が、有効に防止される。これにより、外装部３がある程度膨張しても、電極群１０が配置される収納空間１１の外装部３の外部に対する気密が適切に保たれ、二次電池１の性能等が適切に確保される。
【００６３】
また、本実施形態では、フランジ１３及び第２の外装部材６は、折曲がり部８１において、底壁７が位置する側へ一緒に折曲がる。このため、折曲がり部８１から外縁５１，６１までの距離を、開口１２から底壁７までの距離に比べて小さくすることで、二次電池１の厚さ方向の寸法が大きくなることが防止される。これにより、二次電池１のエネルギー密度の低下が防止される。
【００６４】
（変形例及び適用例）  
なお、図１３乃至図１５に示す第１の変形例では、折曲がり部８１として、横方向に沿う一対の折曲がり部８３Ａ，８３Ｂのみが形成され、縦方向に沿う折曲がり部（８２Ａ，８２Ｂ）は形成されない。すなわち、第１の実施形態の第２の折曲がり部８３Ａ，８３Ｂに相当する折曲がり部のみが、形成される。ここで、図１３は、二次電池１を、厚さ方向について底壁７が位置する側（矢印Ｚ１側）から視た状態で示す。また、図１４は、二次電池１を、縦方向の一方側（矢印Ｘ２側）から視た状態で示し、図１５は、二次電池１を、横方向の一方側（矢印Ｙ１側）から視た状態で示す。
【００６５】
本変形例でも、第２の開口縁１７Ａ，１７Ｂからの突出部分のそれぞれでは、フランジ１３及び第２の外装部材６は、開口縁１５から折曲がり部８１（折曲がり部８３Ａ又は８３Ｂ）まで、外周側に向かって延設される。そして、第２の開口縁１７Ａ，１７Ｂからの突出部分のそれぞれでは、フランジ１３及び第２の外装部材６のそれぞれの延設方向は、折曲がり部８１（折曲がり部８３Ａ又は８３Ｂ）によって、変化する。例えば、二次電池１の厚さ方向について底壁７が位置する側へ、フランジ１３及び第２の外装部材６が、折曲がり部８３Ａ，８３Ｂのそれぞれで折曲がる。
【００６６】
また、本変形例では、第１の開口縁１６Ａ，１６Ｂからの突出部分のそれぞれでは、フランジ１３及び第２の外装部材６のそれぞれは、開口縁１５から外縁（５１；６１）まで、開口１２の外周側に向かって、延設される。すなわち、フランジ１３及び第２の外装部材６は、第１の開口縁１６Ａ，１６Ｂのそれぞれから外縁（５１，６１）まで、延設方向が変化することなく、開口面に平行な方向について開口１２から離れる側に向かって、延設される。
【００６７】
本変形例でも、開口縁１５と外縁（５１，６１）との間に、折曲がり部８１（折曲がり部８３Ａ，８３Ｂ）が設けられ、折曲がり部８１において、フランジ１３及び第２の外装部材６が一緒に折曲がる。折曲がり部８１は、開口１２の周方向について、側壁９Ａ，９Ｂが延設され範囲、に形成される。このため、本変形例でも、前述の実施形態等と同様に、開口１２の周方向について少なくとも開放弁９１が位置する範囲に渡っては、折曲がり部８１が、形成される。したがって、本変形例でも前述の実施形態等と同様に、開放弁９１への外部からの物理的接触が防止され、外部からの衝撃等に対して開放弁９１が適切に保護される。
【００６８】
なお、折曲がり部８１は、開口１２の周方向について少なくとも開放弁９１が位置する範囲に渡って設けられていればよい。例えば、開放弁９１が側壁９Ｂに設けられる構成では、開口１２の周方向について少なくとも側壁９Ｂが延設される範囲に渡って、折曲がり部８１が設けられていればよい。これにより、開口１２の周方向について開放弁９１が位置する範囲では、折曲がり部８１からフランジ１３及び第２の外装部材６のそれぞれの外縁（５１，６１）までの延設部分が、側壁９Ｂ及び開放弁９１に対して外周側に位置する。
【００６９】
図１６乃至図１８に示す第２の変形例では、前述の第１の実施形態等と同様に、折曲がり部８１として、縦方向に沿う一対の第１の折曲がり部８２Ａ，８２Ｂ、及び、横方向に沿う一対の折曲がり部８３Ａ，８３Ｂが、設けられる。そして、側壁９Ｂに開放弁９１が形成され、二次電池１の横方向について側壁９Ｂの中央部に、開放弁９１が位置する。ここで、図１７は、二次電池１を、縦方向の一方側（矢印Ｘ２側）から視た状態で示す。また、図１８は、二次電池１において、横方向に沿う一対の側壁９Ａ，９Ｂの一方、及び、その側壁（９Ａ，９Ｂの対応する一方）から外周側への突出部分の構成を、横方向に垂直又は略垂直な断面で示し、開放弁９１を通る断面を示す。
【００７０】
本変形例では、フランジ１３の外縁５１及び第２の外装部材６の外縁６１に、外縁凹部９５が形成される。外縁凹部９５では、第２のフランジ外縁５３Ｂ及び第２の部材外縁６３Ｂが、厚さ方向について底壁７が位置する側とは反対側に凹む。また、外縁凹部９５は、開口１２の周方向について開放弁９１が位置する範囲に渡って、形成される。したがって、外縁凹部９５は、開口１２の周方向について側壁９Ｂが延設される範囲の一部に渡って、形成される。
【００７１】
外縁凹部９５が形成されることにより、開口１２の周方向について開放弁９１が位置する範囲では、フランジ１３及び第２の外装部材６のそれぞれの外縁（５１；６１）は、開放弁に９１対して、底壁７が位置する側とは反対側に位置する。このため、開口１２の周方向について開放弁９１が位置する範囲では、第２の折曲がり部８３Ｂから第２のフランジ外縁５３Ｂまでの延設部分、及び、第２の折曲がり部８３Ｂから第２の部材外縁６３Ｂまでの延設部分が、開放弁９１に対して外周側から対向しない。ただし、開口１２の周方向について側壁９Ｂが延設される範囲内であっても、外縁凹部９５以外の部位では、第２のフランジ外縁５３Ｂ及び第２の部材外縁６３Ｂは、開放弁９１に対して、底壁７が位置する側に位置する。したがって、開口１２の周方向について側壁９Ｂが延設される範囲内であっても、横方向について開放弁９１から外れた部位の大部分では、第２のフランジ外縁５３Ｂ及び第２の部材外縁６３Ｂは、開放弁９１に対して、底壁７が位置する側に位置する。
【００７２】
本変形例では、前述のように、開口１２の周方向について開放弁９１が位置する範囲では、フランジ１３及び第２の外装部材６のそれぞれの外縁（５１；６１）は、開放弁に９１対して、底壁７が位置する側とは反対側に位置する。これにより、折曲がり部８１からフランジ１３及び第２の外装部材６のそれぞれの外縁（５１；６１）までの延設部分によって開放弁９１から排出される気体の経路の阻害されることが、より有効に防止される。したがって、開放弁９１から気体が排出された際に、排出された気体の経路が、より適切に確保される。
【００７３】
また、本変形例では、開口１２の周方向について側壁９Ｂが延設される範囲内であっても、外縁凹部９５以外の部位では、第２のフランジ外縁５３Ｂ及び第２の部材外縁６３Ｂは、開放弁９１に対して、底壁７が位置する側に位置する。このため、外縁凹部９５を形成しても、前述の実施形態等と同様に、開放弁９１への外部からの物理的接触が防止され、外部からの衝撃等に対して開放弁９１が適切に保護される。
【００７４】
前述の実施形態等では、開放弁９１の溝９２が側壁９Ｂの内表面に設けられるが、側壁９Ｂの外表面に溝９２が設けられてもよい。また、前述の実施形態等では、開放弁９１の溝９２は、二次電池１の横方向に沿う直線状又は略直線状に延設されるが、溝の延設方向及び延設状態等は、これに限るものではない。例えば、図１９及び図２０に示す第３の変形例では、側壁９Ｂの外表面に、内周側へ凹む溝９２が設けられる。そして、溝９２によって、長方形の二対の辺が形成されるとともに、その長方形の対角線が形成される。ここで、図１９は、二次電池１において、横方向に沿う一対の側壁９Ａ，９Ｂの一方、及び、その側壁（９Ａ，９Ｂの対応する一方）から外周側への突出部分の構成を、横方向に垂直又は略垂直な断面で示し、開放弁９１を通る断面を示す。また、図２０は、側壁９Ｂの外表面において開放弁９１及びその近傍の構成を示す。
【００７５】
本変形例では、溝９２によって形成される長方形の二対の辺は、一対の長辺、及び、一対の短辺を有する。そして、一対の長辺は、二次電池１の横方向に沿って延設され、一対の短辺は、二次電池１の厚さ方向に沿って延設される。本変形例でも、開放弁９１では、溝９２によって、肉厚が側壁８Ａ，８Ｂ，９Ａ，９Ｂの他の部分に比べて薄い薄肉部９３が形成される。また、本変形例では、開放弁９１及び溝９２は、二次電池１の横方向について側壁９Ｂの中央部に、設けられる。本変形例でも、溝９２の延設方向に垂直又は略垂直な断面において、溝９２はＶ字状又は略Ｖ字状に形成される。そして、開放弁９１の薄肉部９３では、溝９２のＶ字の頂点において、側壁９Ｂの肉厚が最も薄くなる。前述のように薄肉部９３が形成されるため、本変形例でも、開放弁９１は、側壁８Ａ，８Ｂ，９Ａ，９Ｂの他の部分に比べて、衝撃に対する耐性が低くなる。
【００７６】
なお、溝９２は、側壁９Ｂの外表面に、パンチ等で刻印することにより、形成される。また、ある実施例では、開放弁９１以外の部位において、側壁９Ｂの肉厚ｔ１が０．１ｍｍ程度となり、溝９２のＶ字の頂点での側壁９Ｂの肉厚ｔ２、すなわち、薄肉部９３における肉厚の最小値が、０．０１ｍｍ以上０．０２ｍｍ以下程度になる。
【００７７】
また、図２１に示す第４の変形例では、側壁８Ａにおいて、傾斜面２６Ａが側壁９Ａから側壁９Ｂまで縦方向に連続し、縦方向について側壁８Ａの全長に渡って、傾斜面２６Ａが延設される。そして、側壁８Ｂにおいて、傾斜面２６Ｂが側壁９Ａから側壁９Ｂまで縦方向に連続し、縦方向について側壁８Ｂの全長に渡って、傾斜面２６Ｂが延設される。本変形例でも、端子２７Ａは、側壁８Ａの傾斜面２６Ａに取付けられ、端子２７Ｂは、側壁８Ｂの傾斜面２６Ｂに取付けられる。ただし、本変形例では、前述の第１の実施形態等に比べて、二次電池１の縦方向についての端子２７Ａ，２７Ｂのそれぞれの寸法は、大きい。
【００７８】
本変形例でも、前述の実施形態等と同様に、側壁９Ｂに、開放弁９１が形成される。そして、本変形例では、第１の変形例等と同様に、横方向に沿う一対の折曲がり部８３Ａ，８３Ｂのみが、折曲がり部８１として形成される。このため、本変形例では、折曲がり部８１は、開口１２の周方向について、側壁９Ａ，９Ｂが延設され範囲、に形成される。このため、本変形例でも、前述の実施形態等と同様に、開口１２の周方向について少なくとも開放弁９１が位置する範囲に渡っては、折曲がり部８１が、形成される。したがって、本変形例でも前述の実施形態等と同様に、開放弁９１への外部からの物理的接触が防止され、外部からの衝撃等に対して開放弁９１が適切に保護される。
【００７９】
なお、ある変形例では、第４の変形例のように傾斜面２６Ａ，２６Ｂが形成される構成において、第１の実施形態等と同様に、縦方向に沿う一対の第１の折曲がり部８２Ａ，８２Ｂ、及び、横方向に沿う一対の第２の折曲がり部８３Ａ，８３Ｂの両方が、折曲がり部８１として形成されてもよい。
【００８０】
また、前述の二次電池１の適用例として、図２２に、第４の変形例の二次電池１を複数備える電池パックの一部を示す。本適用例の電池パックでは、２つの二次電池１Ａ，１Ｂから、組電池１００が形成される。組電池１００に用いられる二次電池１Ａ，１Ｂは、第４の変形例の二次電池１（図２１参照）と、同一の構成である。
【００８１】
組電池１００では、二次電池１Ａ，１Ｂは、積層方向（矢印Ｚ３及び矢印Ｚ４で示す方向）に沿って積層される。なお、二次電池１Ａ，１Ｂの積層方向は、二次電池１Ａ，１Ｂが配列される配列方向である。ここで、組電池１００において、積層方向に対して交差する第１の交差方向（矢印Ｘ３及び矢印Ｘ４で示す方向）、及び、積層方向及び第１の交差方向の両方に対して交差する第２の交差方向（矢印Ｙ３及び矢印Ｙ４で示す方向）を、規定する。本実施形態では、第１の交差方向は、積層方向に対して垂直又は略垂直であり、第２の交差方向は、積層方向及び第１の交差方向の両方に対して垂直又は略垂直である。
【００８２】
二次電池１Ａ，１Ｂは、積層方向について、互いに対して隣り合って配置される。また、本適用例の組電池１００では、二次電池１Ａ，１Ｂのそれぞれは、厚さ方向が積層方向と平行又は略平行になる状態で、積層される。そして、二次電池１Ａ，１Ｂのそれぞれは、縦方向が第１の交差方向と平行又は略平行になり、かつ、横方向が第２の交差方向と平行又は略平行になる状態で、配置される。また、組電池１００では、二次電池１Ａ，１Ｂは、二次電池１Ａの第２の外装部材６が二次電池１Ｂの底壁７と対向する状態で、配置される。また、組電池１００では、二次電池１Ａ，１Ｂが、第１の交差方向について、互いに対してずれることなく、又は、ほとんどずれることなく、配置される。そして、二次電池１Ａ，１Ｂは、第２の交差方向について、互いに対してずれることなく、又は、ほとんどずれることなく、配置される。
【００８３】
なお、二次電池１Ａ，１Ｂの間には、電気的に絶縁性を有する絶縁板（図示しない）が配置されることが、好ましい。この場合、二次電池１Ａの第２の外装部材６は、絶縁板を挟んで、二次電池１Ｂの底壁７と対向する。このため、絶縁板によって、二次電池１Ａ，１Ｂの外装部３同士の接触が、防止される。前述のように二次電池１Ａ，１Ｂが積層されるため、組電池１００の二次電池１Ａ，１Ｂのそれぞれでは、側壁（第１の側壁）８Ａ，８Ｂが第１の交差方向に沿って延設され、側壁（第２の側壁）９Ａ，９Ｂが第２の交差方向に沿って延設される。
【００８４】
本適用例では、二次電池１Ａ，１Ｂは、接続部材であるバスバー１０１によって、電気的に接続される。バスバー１０１は、例えば、導電性を有する金属から形成される。バスバー１０１によって、二次電池１Ａ，１Ｂは、電気的に直列又は並列に接続される。組電池１００では、二次電池１Ａの端子２７Ａ，２７Ｂの一方である対象端子（第１の対象端子）が、二次電池１Ｂの端子２７Ａ，２７Ｂの対応する一方である対象端子（第２の対象端子）に、バスバー１０１を介して接続される。図２２の適用例では、バスバー１０１は、二次電池１Ａの端子２７Ｂに接続されるとともに、二次電池１Ｂの端子２７Ｂに接続される。バスバー１０１によって接続される二次電池１Ａの対象端子（２７Ａ又は２７Ｂ）及び二次電池１Ｂの対象端子（２７Ａ又は２７Ｂ）は、第２の交差方向について、組電池１００の中央位置に対して同一の側に、位置する。すなわち、二次電池１Ａの対象端子（２７Ａ又は２７Ｂ）及び二次電池１Ｂの対象端子（２７Ａ又は２７Ｂ）は、第２の交差方向について、二次電池１Ａ，１Ｂの収納空間１１に対して同一の側に、位置する。
【００８５】
本適用例では、二次電池１Ａ，１Ｂのそれぞれにおいて、側壁９Ｂに開放弁９１が設けられる。このため、二次電池１Ａ，１Ｂのそれぞれの開放弁９１から排出される気体の経路が、バスバー１０１によって阻害されない。したがって、二次電池１Ａ，１Ｂのそれぞれの開放弁９１から気体が排出された際に、排出された気体の経路が、より適切に確保される。
【００８６】
なお、図２２の適用例の組電池１００では、第４の変形例の二次電池１が用いられたが、これに限るものではない。例えば、第１の実施形態の二次電池１等の前述した実施形態等のいずれかの二次電池１が、図２２の適用例と同様に積層されてもよい。この場合も、積層された複数の二次電池１から組電池及び電池パックが形成される。
【００８７】
また、図２３に示す第５の変形例では、縦方向に沿う一対の側壁８Ａ，８Ｂの一方に開放弁９１され、側壁８Ａに開放弁９１が形成される。そして、本変形例では、第１の実施形態等と同様に、折曲がり部８１は、開口１２の周方向について、一対の第１の開口縁１６Ａ，１６Ｂが延設される範囲、及び、一対の第２の開口縁１７Ａ，１７Ｂが延設される範囲の両方に渡って、形成される。このため、開口１２の周方向について少なくとも開放弁９１が位置する範囲に渡っては、折曲がり部８１が、形成される。したがって、本変形例でも前述の実施形態等と同様に、開放弁９１への外部からの物理的接触が防止され、外部からの衝撃等に対して開放弁９１が適切に保護される。
【００８８】
また、本変形例では、捲回軸Ｂが二次電池１の横方向に沿う状態で、電極群１０は収納空間１１に配置される。このような構成では、収納空間１１において、二次電池１の横方向にういて両方の端部に、発生した気体が溜り易い。すなわち、収納空間１１では、正極集電タブ２１Ｄが配置される領域、及び、負極集電タブ２２Ｄが配置される領域に、発生した気体が溜り易い。本変形例では、側壁８Ａに開放弁９１が形成されるため、収納空間１１から開放弁９１を介して外装部３の外部へ、気体を排出し易くなる。
【００８９】
なお、前述のように、折曲がり部８１は、開口１２の周方向について少なくとも開放弁９１が位置する範囲に渡って設けられていればよい。例えば、開放弁９１が側壁８Ａに設けられる構成では、開口１２の周方向について少なくとも側壁８Ａが延設される範囲に渡って、折曲がり部８１が設けられていればよい。これにより、開口１２の周方向について開放弁９１が位置する範囲では、折曲がり部８１からフランジ１３及び第２の外装部材６のそれぞれの外縁（５１；６１）までの延設部分が、側壁８Ａ及び開放弁９１に対して外周側に位置する。
【００９０】
また、前述の実施形態等では、溶接部７１は、折曲がり部８１とフランジ１３及び第２の外装部材６のそれぞれの外縁（５１；６１）との間に形成されるが、これに限るものではない。ある変形例では、折曲がり部８１が、溶接部７１とフランジ１３及び第２の外装部材６のそれぞれの外縁（５１；６１）との間に形成される。この場合、開口縁１５と折曲がり部８１との間に溶接部７１が形成され、溶接部７１は、折曲がり部８１に対して内周側に位置する。
【００９１】
また、ある変形例では、収納空間１１に複数の電極群が収納されてもよい。また、別のある変形例では、第２の外装部材６が、板状ではなく、第１の外装部材５と同様の底付きの筒状に形成される。この場合、第２の外装部材６も、底壁、側壁及びフランジを備える状態に、形成される。そして、第１の外装部材５のフランジ１３及び第２の外装部材６のフランジが、溶接部７１で、気密に溶接される。本変形例の二次電池１でも、溶接部７１によって、開口１２の周方向について全周に渡って、フランジ１３及び第２の外装部材６が気密に溶接される。そして、電極群１０が収納される収納空間１１は、外装部３の外部に対して密閉される。
【００９２】
これらの少なくとも一つの実施形態又は実施例の二次電池によれば、開口縁から外周側への突出部分に設けられる折曲がり部において、フランジ及び第２の外装部材が一緒に折曲がる。折曲がり部は、開口の周方向について少なくとも開放弁が位置する範囲 に渡って、設けられる。折曲がり部によって、折曲がり部からフランジ及び第２の外装部材のそれぞれの外縁までの延設部分は、開放弁に対して外周側に位置する。このため、外装部に設けられる開放弁が適切に保護される二次電池、及び、その二次電池を備える電池パックを提供することができる。
【００９３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
0006989706.tif 000002
【図２】
0006989706.tif 000003
【図３】
0006989706.tif 000004
【図４】
0006989706.tif 000005
【図５】
0006989706.tif 000006
【図６】
0006989706.tif 000007
【図７】
0006989706.tif 000008
【図８】
0006989706.tif 000009
【図９】
0006989706.tif 000010
【図１０】
0006989706.tif 000011
【図１１】
0006989706.tif 000012
【図１２】
0006989706.tif 000013
【図１３】
0006989706.tif 000014
【図１４】
0006989706.tif 000015
【図１５】
0006989706.tif 000016
【図１６】
0006989706.tif 000017
【図１７】
0006989706.tif 000018
【図１８】
0006989706.tif 000019
【図１９】
0006989706.tif 000020
【図２０】
0006989706.tif 000021
【図２１】
0006989706.tif 000022
【図２２】
0006989706.tif 000023
【図２３】
0006989706.tif 000024